(57)【要約】【課題】一時利用者が定期利用者のように定期利用スペースを利用できるようにする。【解決手段】本発明の駐車場貸出管理システムは、駐車場貸出管理装置と駐車場内装置とを有し、駐車場貸出管理装置は、貸出登録部、予約受付部、一時利用管理部、料金管理部を備える。駐車場内装置が車両番号または識別情報によって一時利用者を定期利用者として扱うので、一時利用者であっても定期利用者のように駐車場を利用でき、かつ、料金の精算は定期利用者と一時利用者との間で行うことができる。【選択図】図１
2015060240.tif 000002
【特許請求の範囲】
【請求項１】
検出した車両番号に基づいて入出庫用ゲートの開閉を制御する駐車場において、定期利用スペースを一時利用スペースとして貸し出すための駐車場貸出管理装置であって、
定期利用者端末からの貸出情報（少なくとも定期利用スペースを特定する情報、貸出期間を示す情報を含む）を受け付け、前記貸出情報を記録する貸出登録部と、
一時利用者端末からの予約情報（少なくとも一時利用期間を示す情報、一時利用者の車両番号、一時利用者の連絡先の情報、料金の精算方法の情報を含む）を受け付け、記録された貸出情報の中に貸出期間が一時利用期間の条件を満たす貸出情報がある場合には、当該予約情報を一時利用期間の条件を満たす貸出情報と関連つけて記録し、一時利用者の連絡先に受付情報（少なくとも一時利用スペース、一時利用期間を示す情報を含む）を送信する予約受付部と、
前記駐車場内装置から車両番号を受信すると、貸出情報と関連つけて記録された予約情報の中に、受信した車両番号と同一の一時利用者の車両番号を含む予約情報が存在するかを確認する車両番号確認手段と、前記駐車場内装置に前記入出庫用ゲートを開ける指示を送信するゲート開閉指示手段とを有する一時利用管理部と、
前記車両番号確認手段が、予約情報が存在することを確認した場合に、当該予約情報に関連つけて入庫時間と出庫時間とを記録し、当該予約情報の料金の精算方法の情報に示された方法で料金の精算を行う料金管理部と、
を備える駐車場貸出管理装置。
【請求項２】
入庫時には入場券の発券に基づき入出庫用ゲートの開閉を制御し、出庫時には出庫用ゲートを開けるための券に基づいて入出庫用ゲートの開閉を制御する駐車場において、定期利用スペースを一時利用スペースとして貸し出すための駐車場貸出管理装置であって、
定期利用者端末からの貸出情報（少なくとも定期利用スペースを特定する情報、貸出期間を示す情報を含む）を受け付け、前記貸出情報を記録する貸出登録部と、
一時利用者端末からの予約情報（少なくとも一時利用期間を示す情報、一時利用者の連絡先の情報、料金の精算方法の情報を含む）を受け付け、記録された貸出情報の中に貸出期間が一時利用期間の条件を満たす貸出情報がある場合には、一時利用者の連絡先に受付情報（少なくとも一時利用スペース、一時利用期間を示す情報、識別情報を含む）を送信し、当該予約情報と当該受付情報とを一時利用期間の条件を満たす貸出情報と関連つけて記録する予約受付部と、
前記駐車場内装置から識別情報と入庫時間を受信すると、貸出情報と関連つけて記録された受付情報の中に、受信した識別情報と同一の識別情報を含む受付情報が存在するかを確認する受付情報確認手段と、前記駐車場内装置に前記確認の結果を送信する確認結果送信手段とを有する一時利用管理部と、
前記受付情報確認手段が、受付情報が存在することを確認した場合に、当該受付情報と関連つけられた予約情報に関連つけて入庫時間と出庫時間とを記録し、当該予約情報の料金の精算方法の情報に示された方法で料金の精算を行う料金管理部と、
を備える駐車場貸出管理装置。
【請求項３】
識別情報に基づき入出庫用ゲートの開閉を制御できる駐車場において、定期利用スペースを一時利用スペースとして貸し出すための駐車場貸出管理装置であって、
定期利用者端末からの貸出情報（少なくとも定期利用スペースを特定する情報、貸出期間を示す情報を含む）を受け付け、前記貸出情報を記録する貸出登録部と、
一時利用者端末からの予約情報（少なくとも一時利用期間を示す情報、一時利用者の連絡先の情報、料金の精算方法の情報を含む）を受け付け、記録された貸出情報の中に貸出期間が一時利用期間の条件を満たす貸出情報がある場合には、一時利用者の連絡先に受付情報（少なくとも一時利用スペース、一時利用期間を示す情報、識別情報を含む）を送信し、当該予約情報と当該受付情報とを一時利用期間の条件を満たす貸出情報と関連つけて記録する予約受付部と、
識別情報を受信すると、貸出情報と関連つけて記録された受付情報の中に、受信した識別情報と同一の識別情報を含む受付情報が存在するかを確認する受付情報確認手段と、前記駐車場内装置に前記入出庫用ゲートの開閉の指示を送信するゲート開閉指示手段とを有する一時利用管理部と、
前記受付情報確認手段が、受付情報が存在することを確認した場合に、当該受付情報と関連つけられた予約情報に関連つけて入庫時間と出庫時間とを記録し、当該予約情報の料金の精算方法の情報に示された方法で料金の精算を行う料金管理部と、
を備える駐車場貸出管理装置。
【請求項４】
駐車場貸出管理装置と駐車場内装置とを有し、定期利用スペースを一時利用スペースとして貸し出すための駐車場貸出管理システムであって、
前記駐車場貸出管理装置は、
定期利用者端末からの貸出情報（少なくとも定期利用スペースを特定する情報、貸出期間を示す情報を含む）を受け付け、前記貸出情報を記録する貸出登録部と、
一時利用者端末からの予約情報（少なくとも一時利用期間を示す情報、一時利用者の車両番号、一時利用者の連絡先の情報、料金の精算方法の情報を含む）を受け付け、記録された貸出情報の中に貸出期間が一時利用期間の条件を満たす貸出情報がある場合には、当該予約情報を一時利用期間の条件を満たす貸出情報と関連つけて記録し、一時利用者の連絡先に受付情報（少なくとも一時利用スペース、一時利用期間を示す情報を含む）を送信する予約受付部と、
前記駐車場内装置から車両番号を受信すると、貸出情報と関連つけて記録された予約情報の中に、受信した車両番号と同一の一時利用者の車両番号を含む予約情報が存在するかを確認する車両番号確認手段と、前記駐車場内装置に入出庫用ゲートを開ける指示を送信するゲート開閉指示手段とを有する一時利用管理部と、
前記車両番号確認手段が、予約情報が存在することを確認した場合に、当該予約情報に関連つけて入庫時間と出庫時間とを記録し、実際の駐車期間が当該予約情報の一時利用期間と異なる場合には、当該予約情報の料金の精算方法の情報に示された方法で料金の精算を行う料金管理部と、
を備え、
前記駐車場内装置は、
入出庫しようとしている車両の車両番号を読み取り、前記駐車場貸出管理装置に当該車両番号を送信する車両番号読取部と、
前記駐車場貸出管理装置からの入出庫用ゲートを開ける指示に従って、入出庫用ゲートを開けるゲート開閉部と、
を備える
駐車場貸出管理システム。
【請求項５】
駐車場貸出管理装置と駐車場内装置とを有し、定期利用スペースを一時利用スペースとして貸し出すための駐車場貸出管理システムであって、
前記駐車場貸出管理装置は、
定期利用者端末からの貸出情報（少なくとも定期利用スペースを特定する情報、貸出期間を示す情報を含む）を受け付け、前記貸出情報を記録する貸出登録部と、
一時利用者端末からの予約情報（少なくとも一時利用期間を示す情報、一時利用者の連絡先の情報、料金の精算方法の情報を含む）を受け付け、記録された貸出情報の中に貸出期間が一時利用期間の条件を満たす貸出情報がある場合には、一時利用者の連絡先に受付情報（少なくとも一時利用スペース、一時利用期間を示す情報、識別情報を含む）を送信し、当該予約情報と当該受付情報とを一時利用期間の条件を満たす貸出情報と関連つけて記録する予約受付部と、
前記駐車場内装置から識別情報と入庫時間を受信すると、貸出情報と関連つけて記録された受付情報の中に、受信した識別情報と同一の識別情報を含む受付情報が存在するかを確認する受付情報確認手段と、前記駐車場内装置に前記確認の結果を送信する確認結果送信手段とを有する一時利用管理部と、
前記受付情報確認手段が、受付情報が存在することを確認した場合に、当該受付情報と関連つけられた予約情報に関連つけて入庫時間と出庫時間とを記録し、当該予約情報の料金の精算方法の情報に示された方法で料金の精算を行う料金管理部と、
を備え、
前記駐車場内装置は、
入場券を発券し、入庫用ゲートを開ける入庫手段と、出庫用ゲートを開けるための券を読み取り、出庫用ゲートを開ける出庫手段とを有するゲート開閉部と、
入場券を読み取り、入庫時間を確認する入庫確認手段と、識別情報を取得し、当該識別情報と前記入庫時間とを前記駐車場貸出管理装置に送信する識別情報送信手段と、前記識別情報の確認結果を受信し、前記出庫用ゲートを開けるための券を出力する料金精算手段とを有する料金精算部と、
を備える
駐車場貸出管理システム。
【請求項６】
駐車場貸出管理装置と駐車場内装置とを有し、定期利用スペースを一時利用スペースとして貸し出すための駐車場貸出管理システムであって、
前記駐車場貸出管理装置は、
定期利用者端末からの貸出情報（少なくとも定期利用スペースを特定する情報、貸出期間を示す情報を含む）を受け付け、前記貸出情報を記録する貸出登録部と、
一時利用者端末からの予約情報（少なくとも一時利用期間を示す情報、一時利用者の連絡先の情報、料金の精算方法の情報を含む）を受け付け、記録された貸出情報の中に貸出期間が一時利用期間の条件を満たす貸出情報がある場合には、一時利用者の連絡先に受付情報（少なくとも一時利用スペース、一時利用期間を示す情報、識別情報を含む）を送信し、当該予約情報と当該受付情報とを一時利用期間の条件を満たす貸出情報と関連つけて記録する予約受付部と、
前記駐車場内装置から識別情報を受信すると、貸出情報と関連つけて記録された受付情報の中に、受信した識別情報と同一の識別情報を含む受付情報が存在するかを確認する受付情報確認手段と、前記駐車場内装置に前記入出庫用ゲートの開閉の指示を送信するゲート開閉指示手段とを有する一時利用管理部と、
前記受付情報確認手段が、受付情報が存在することを確認した場合に、当該受付情報と関連つけられた予約情報に関連つけて入庫時間と出庫時間とを記録し、当該予約情報の料金の精算方法の情報に示された方法で料金の精算を行う料金管理部と、
を備え、
前記駐車場内装置は、
識別情報を取得し、当該識別情報を前記駐車場貸出管理装置に送信する識別情報送信手段と、前記駐車場貸出管理装置からの入出庫用ゲートを開ける指示に従って、入出庫用ゲートを開ける開閉手段とを有するゲート開閉部を備える
駐車場貸出管理システム。
【請求項７】
駐車場貸出管理装置と駐車場内装置とを有し、定期利用スペースを一時利用スペースとして貸し出すための駐車場貸出管理システムであって、
前記駐車場貸出管理装置は、
定期利用者端末からの貸出情報（少なくとも定期利用スペースを特定する情報、貸出期間を示す情報を含む）を受け付け、前記貸出情報を記録する貸出登録部と、
一時利用者端末からの予約情報（少なくとも一時利用期間を示す情報、一時利用者の連絡先の情報、料金の精算方法の情報を含む）を受け付け、記録された貸出情報の中に貸出期間が一時利用期間の条件を満たす貸出情報がある場合には、一時利用者の連絡先に受付情報（少なくとも一時利用スペース、一時利用期間を示す情報、識別情報を含む）を送信し、当該予約情報と当該受付情報とを一時利用期間の条件を満たす貸出情報と関連つけて記録する予約受付部と、
一時利用者端末から識別情報を受信すると、貸出情報と関連つけて記録された受付情報の中に、受信した識別情報と同一の識別情報を含む受付情報が存在するかを確認する受付情報確認手段と、前記駐車場内装置に前記入出庫用ゲートの開閉の指示を送信するゲート開閉指示手段とを有する一時利用管理部と、
前記受付情報確認手段が、受付情報が存在することを確認した場合に、当該受付情報と関連つけられた予約情報に関連つけて入庫時間と出庫時間とを記録し、当該予約情報の料金の精算方法の情報に示された方法で料金の精算を行う料金管理部と、
を備え、
前記駐車場内装置は、
前記駐車場貸出管理装置からの入出庫用ゲートを開ける指示に従って、入出庫用ゲートを開ける開閉手段を有するゲート開閉部を備える
駐車場貸出管理システム。
【発明の詳細な説明】
【技術分野】
【０００１】
本発明は定期利用スペースを一時利用スペースとして貸し出すための駐車場貸出管理装置、駐車場貸出管理システムに関する。
【背景技術】
【０００２】
特許文献１の月極駐車場の合間貸しシステムや特許文献２の駐車場仲介システムが従来技術として知られている。特許文献１の技術は、限りある駐車場スペースを効率よく使用するために、駐車場が空いている期間に一時的に他の者にその駐車場を貸し、無駄な駐車スペースがなくなるようにするシステムである。また、特許文献２の技術は、駐車場貸主と駐車場借主と駐車場利用者同士が自由に情報交換でき、駐車場貸主が駐車場をより多くの人に利用してもらえ、駐車場借主がより多くの駐車場から最適な駐車場を選択できるようにするシステムである。
【先行技術文献】
【特許文献】
【０００３】
【特許文献１】特開２００２−３２４１３８号公報
【特許文献２】特開２００３−１５０７２６号公報
【発明の概要】
【発明が解決しようとする課題】
【０００４】
従来技術は駐車場の所有者が駐車場を効率よく貸すための予約の方法に関する技術であり、月極のような定期利用者が主体となって自分が利用しない期間に一時利用者に貸し出す技術ではない。したがって、一時利用者が駐車場を利用できるようにするための入出庫用ゲートの開閉の方法や定期利用者に対する料金精算の方法が示されていないという課題がある。
【０００５】
本発明は、一時利用者が定期利用者のように定期利用スペースを利用できるようにする駐車場貸出管理装置、駐車場貸出管理システムを提供することを目的とする。
【課題を解決するための手段】
【０００６】
本発明の駐車場貸出管理システムは、駐車場貸出管理装置と駐車場内装置とを有し、定期利用スペースを一時利用スペースとして貸し出す。駐車場貸出管理システムでは、駐車場貸出管理装置は、貸出登録部、予約受付部、一時利用管理部、料金管理部を備える。
【０００７】
第１の駐車場貸出管理システムでは、貸出登録部は、定期利用者端末からの貸出情報（少なくとも定期利用スペースを特定する情報、貸出期間を示す情報を含む）を受け付け、貸出情報を記録する。予約受付部は、一時利用者端末からの予約情報（少なくとも一時利用期間を示す情報、一時利用者の車両番号、一時利用者の連絡先の情報、料金の精算方法の情報を含む）を受け付け、記録された貸出情報の中に貸出期間が一時利用期間の条件を満たす貸出情報がある場合には、当該予約情報を一時利用期間の条件を満たす貸出情報と関連つけて記録し、一時利用者の連絡先に受付情報（少なくとも一時利用スペース、一時利用期間を示す情報を含む）を送信する。一時利用管理部は、駐車場内装置から車両番号を受信すると、貸出情報と関連つけて記録された予約情報の中に、受信した車両番号と同一の一時利用者の車両番号を含む予約情報が存在するかを確認する車両番号確認手段と、駐車場内装置に入出庫用ゲートを開ける指示を送信するゲート開閉指示手段とを有する。料金管理部は、車両番号確認手段が、予約情報が存在することを確認した場合に、当該予約情報に関連つけて入庫時間と出庫時間とを記録し、当該予約情報の料金の精算方法の情報に示された方法で料金の精算を行う。駐車場内装置は、少なくとも車両番号読取部とゲート開閉部を備える。車両番号読取部は、入出庫しようとしている車両の車両番号を読み取り、駐車場貸出管理装置に当該車両番号を送信する。ゲート開閉部は、駐車場貸出管理装置からの入出庫用ゲートを開ける指示に従って、入出庫用ゲートを開ける。
【０００８】
第２の駐車場貸出管理システムでは、貸出登録部は、定期利用者端末からの貸出情報（少なくとも定期利用スペースを特定する情報、貸出期間を示す情報を含む）を受け付け、貸出情報を記録する。予約受付部は、一時利用者端末からの予約情報（少なくとも一時利用期間を示す情報、一時利用者の連絡先の情報、料金の精算方法の情報を含む）を受け付け、記録された貸出情報の中に貸出期間が一時利用期間の条件を満たす貸出情報がある場合には、一時利用者の連絡先に受付情報（少なくとも一時利用スペース、一時利用期間を示す情報、識別情報を含む）を送信し、当該予約情報と当該受付情報とを一時利用期間の条件を満たす貸出情報と関連つけて記録する。一時利用管理部は、駐車場内装置から識別情報と入庫時間を受信すると、貸出情報と関連つけて記録された受付情報の中に、受信した識別情報と同一の識別情報を含む受付情報が存在するかを確認する受付情報確認手段と、駐車場内装置に確認の結果を送信する確認結果送信手段とを有する。料金管理部は、受付情報確認手段が、受付情報が存在することを確認した場合に、当該受付情報と関連つけられた予約情報に関連つけて入庫時間と出庫時間とを記録し、当該予約情報の料金の精算方法の情報に示された方法で料金の精算を行う。駐車場内装置は、少なくともゲート開閉部と料金精算部を備える。ゲート開閉部は、入場券を発券し、入庫用ゲートを開ける入庫手段と、出庫用ゲートを開けるための券を読み取り、出庫用ゲートを開ける出庫手段とを有する。料金精算部は、入場券を読み取り、入庫時間を確認する入庫確認手段と、識別情報を取得し、当該識別情報と前記入庫時間とを駐車場貸出管理装置に送信する識別情報送信手段と、識別情報の確認結果を受信し、出庫用ゲートを開けるための券を出力する料金精算手段とを有する。
【０００９】
第３の駐車場貸出管理システムでは、貸出登録部は、定期利用者端末からの貸出情報（少なくとも定期利用スペースを特定する情報、貸出期間を示す情報を含む）を受け付け、貸出情報を記録する。予約受付部は、一時利用者端末からの予約情報（少なくとも一時利用期間を示す情報、一時利用者の連絡先の情報、料金の精算方法の情報を含む）を受け付け、記録された貸出情報の中に貸出期間が一時利用期間の条件を満たす貸出情報がある場合には、一時利用者の連絡先に受付情報（少なくとも一時利用スペース、一時利用期間を示す情報、識別情報を含む）を送信し、当該予約情報と当該受付情報とを一時利用期間の条件を満たす貸出情報と関連つけて記録する。一時利用管理部は、識別情報を受信すると、貸出情報と関連つけて記録された受付情報の中に、受信した識別情報と同一の識別情報を含む受付情報が存在するかを確認する受付情報確認手段と、駐車場内装置に入出庫用ゲートの開閉の指示を送信するゲート開閉指示手段とを有する。料金管理部は、受付情報確認手段が、受付情報が存在することを確認した場合に、当該受付情報と関連つけられた予約情報に関連つけて入庫時間と出庫時間とを記録し、当該予約情報の料金の精算方法の情報に示された方法で料金の精算を行う。駐車場内装置のゲート開閉部は、識別情報を取得し、当該識別情報を駐車場貸出管理装置に送信する識別情報送信手段と、駐車場貸出管理装置からの入出庫用ゲートを開ける指示に従って、入出庫用ゲートを開ける開閉手段とを有する。
【発明の効果】
【００１０】
本発明の駐車場貸出管理システムによれば、駐車場内装置が車両番号または識別情報によって一時利用者を定期利用者として扱うので、一時利用者であっても定期利用者のように駐車場を利用でき、かつ、料金の精算は定期利用者と一時利用者との間で行うことができる。
【図面の簡単な説明】
【００１１】
【図１】実施例１の駐車場貸出管理システムの構成例を示す図。
【図２】実施例１の駐車場貸出管理システムの処理フローの例を示す図。
【図３】実施例１の駐車場貸出管理システムの処理フローの変形例を示す図。
【図４】実施例２の駐車場貸出管理システムの構成例を示す図。
【図５】実施例２の駐車場貸出管理システムの処理フローの例を示す図。
【図６】実施例２の駐車場貸出管理システムの処理フローの変形例を示す図。
【図７】実施例３の駐車場貸出管理システムの構成例を示す図。
【図８】実施例３の駐車場貸出管理システムの処理フローの例を示す図。
【図９】実施例３の駐車場貸出管理システムの処理フローの別の例を示す図。
【図１０】実施例３の駐車場貸出管理システムの処理フローの変形例を示す図。
【図１１】実施例３の駐車場貸出管理システムの処理フローの別の変形例を示す図。
【発明を実施するための形態】
【００１２】
以下、本発明の実施の形態について、詳細に説明する。なお、同じ機能を有する構成部には同じ番号を付し、重複説明を省略する。
【実施例１】
【００１３】
図１に実施例１の駐車場貸出管理システムの構成例を示す。実施例１の駐車場貸出管理システム１０は、ネットワーク５００で接続された駐車場貸出管理装置１００と駐車場内装置２００とを有し、定期利用スペースを一時利用スペースとして貸し出す。駐車場貸出管理システム１０は、この他に、駐車場の定期利用者が使用する定期利用者端末３１０、一時的に駐車場を利用する一時利用者が使用する一時利用者端末４１０、一時利用者が使用するスマートホンや携帯端末である一時利用者端末（携帯）４２０も含んでもよい。駐車場貸出管理装置１００は、貸出登録部１１０、予約受付部１２０、一時利用管理部１３０、料金管理部１４０、記録部１９０を備える。駐車場内装置２００は、入出庫ゲートの開閉を制御するゲート開閉部２１０、駐車場での料金精算を行う料金精算部２２０、入出庫する車両の車両番号を読み取る車両番号読取部２３０などを備える。図２は、実施例１の駐車場貸出管理システムの処理フローの例を示す図である。
【００１４】
定期利用者の定期利用者端末３１０が、貸出情報を駐車場貸出管理装置１００に送信する（Ｓ３１１）。貸出情報は、少なくとも定期利用スペースを特定する情報、貸出期間を示す情報を含むが、これらに限定する必要はない。例えば、定期利用者の情報、定期利用者が登録している車両番号、貸出情報の送信日時などを含んでもよい。駐車場貸出管理装置１００の貸出登録部１１０は、定期利用者端末３１０からの貸出情報を受け付け、貸出情報を記録部１９０に記録する（Ｓ１１０）。これらの処理で、一時的に駐車スペースを貸し出したい定期利用者の登録が終了する。
【００１５】
一時利用者の一時利用者端末４１０または一時利用者端末（携帯）４２０が、予約情報を駐車場貸出管理装置１００に送信する（Ｓ４１１）。予約情報を送信するときはデスクトップパソコンのような固定された端末である一時利用者端末４１０を用いてもよいし、スマートホン、タブレット端末などの携帯端末である一時利用者端末（携帯）４２０を用いてもよい。予約情報は、少なくとも一時利用期間を示す情報、一時利用者の車両番号、一時利用者の連絡先の情報、料金の精算方法の情報を含む。一時利用者の連絡先の情報とは、一時利用者端末（携帯）４２０のメールアドレスなどである。料金の精算方法の情報とは、クレジットカードの番号、何らかのプリペードカードの番号、サービス券の番号などである。
【００１６】
予約受付部１２０は、一時利用者端末４１０，４２０からの予約情報を受信し、記録部１９０に記録された貸出情報の中に、貸出期間が一時利用期間の条件を満たす貸出情報があるかを確認する。一時利用期間の条件を満たす貸出情報がある場合には、一時利用者の連絡先に受付情報を送信し、当該予約情報と当該受付情報とを一時利用期間の条件を満たす貸出情報と関連つけて記録部１９０に記録する（Ｓ１２０）。貸出情報、予約情報、受付情報は互いに関連つけられて記録されるので、一時利用期間が重なる他の予約情報が既に関連つけられている場合は、一時利用時間の条件は満たさないと判断される。また、一時利用期間が重複しない２つの予約情報が、１つの貸出情報に関連つけられることもあり得る。例えば、貸出期間が２日間の場合に、初日を一時利用期間とする予約情報と２日目を一時利用期間とする予約情報の２つが１つの貸出情報に関連つけられることはある。つまり、予約情報と受付情報とは１対１に対応しているが、予約情報と貸出情報とは、多対１に関連つけられることもある。
【００１７】
一時利用期間の条件を満たす貸出情報がない場合には、受付できなかったことを一時利用者の連絡先に送信する。なお、受付情報は、少なくとも一時利用スペース、一時利用期間を示す情報を含むが、これらに限定されるものではない。一時利用期間の駐車料金と予約した一時利用期間を延長したときの延長料金などの情報も含んでもよい。また、予約を受け付けるだけでなく、一時利用期間の駐車料金については、料金の精算方法に基づいて精算し、その情報を受付情報に含めてもよい。一時利用者端末（携帯）４２０は、受付情報を受信する（Ｓ４２１）。これらの処理で、一時的に駐車スペースを借りたい人の予約が終了する。
【００１８】
一時利用者が予約した駐車場に到着すると、駐車場内装置２００の車両番号読取部２３０が、一時利用者の車両の車両番号を読み取り、駐車場貸出管理装置１００に送信する（Ｓ２３１）。駐車場貸出管理装置１００の一時利用管理部１３０は、車両番号確認手段とゲート開閉指示手段とを有する。車両番号確認手段１３１は、駐車場内装置２００から車両番号を受信すると、貸出情報と関連つけて記録された予約情報の中に、受信した車両番号と同一の一時利用者の車両番号を含む予約情報が存在するかを確認する（Ｓ１３１、Ｓ１３２）。受信した車両番号と同一の一時利用者の車両番号を含む予約情報が存在する場合は、ゲート開閉指示手段１３３は、駐車場内装置２００に入出庫用ゲートを開ける指示を送信し、当該予約情報に関連つけて入庫時間を記録部１９０に記録する（Ｓ１３３）。そして、駐車場内装置２００のゲート開閉部２１０は、入出庫用ゲートを開ける（Ｓ２１１）。入庫時間は、一時利用管理部１３０が駐車場内装置２００から車両番号を受信した時間とすればよい。受信した車両番号と同一の一時利用者の車両番号を含む予約情報が存在しない場合は、一時利用管理部１３０は、ＥＲＲＯＲ処理を行う。例えば、駐車場内装置２００に、ＥＲＲＯＲ情報を送る。そして、駐車場内装置２００は、入庫できないこと（入出庫ゲートを開けられないこと）を一時利用者に音声や表示によって伝えればよい。これらの処理が、一時利用者が駐車場に到着したときの処理である。
【００１９】
次に、一時利用者が駐車場から出庫するときの処理を説明する。一時利用者の車両が出庫のために入出庫ゲートに近づくと、車両番号読取部２３０が、一時利用者の車両の車両番号を読み取り、駐車場貸出管理装置１００に送信する（Ｓ２３２）。一時利用管理部１３０の車両番号確認手段１３１は、駐車場内装置２００から車両番号を受信すると、貸出情報と関連つけて記録された予約情報の中に、受信した車両番号と同一の一時利用者の車両番号を含む予約情報が存在するかを確認する（Ｓ１３６、Ｓ１３７）。
【００２０】
受信した車両番号と同一の一時利用者の車両番号を含む予約情報が存在する場合は、料金精算の処理に進む。料金管理部１４０は、当該予約情報に関連つけて入庫時間と出庫時間とを記録し、当該予約情報の料金の精算方法の情報に示された方法で料金の精算を行う（Ｓ１４０）。出庫時間は、一時利用管理部１３０が駐車場内装置２００から車両番号を受信した時間とすればよい。なお、料金精算においては、一時利用者端末（携帯）４２０での承認処理を伴ってもよい。また、予約受付時に、一時利用期間の料金の精算が終了しているときは、実際の駐車期間が予約情報の一時利用期間と異なる場合にのみ、料金の精算を行えばよい（Ｓ４２２）。料金精算が終了すると、ゲート開閉指示手段１３３は、駐車場内装置２００に入出庫用ゲートを開ける指示を送信する（Ｓ１３８）。そして、駐車場内装置２００のゲート開閉部２１０は、入出庫用ゲートを開ける（Ｓ２１２）。
【００２１】
なお、出庫時に受信した車両番号と同一の一時利用者の車両番号を含む予約情報が存在しない場合は、一時利用管理部１３０は、ＥＲＲＯＲ処理を行う。例えば、駐車場内装置２００に、ＥＲＲＯＲ情報を送る。そして、駐車場内装置２００は、出庫できないこと（入出庫ゲートを開けられないこと）を一時利用者に音声や表示によって伝え、通常の一時利用者として精算することを求めるなどの処理を行えばよい。
【００２２】
駐車場貸出管理システム１０によれば、駐車場内装置２００が車両番号によって一時利用者を定期利用者として扱うので、一時利用者であっても定期利用者のように駐車場を利用でき、かつ、料金の精算は定期利用者と一時利用者との間で行うことができる。
【００２３】
［変形例］
図３に、実施例１の駐車場貸出管理システムの処理フローの変形例を示す。このフローでは、料金精算と入出庫ゲートを開く順番が入れ替わっているだけで、他は図２と同じである。ステップＳ１３７までは図２と同じなので、ステップＳ１３７が終了した後の処理を説明する。受信した車両番号と同一の一時利用者の車両番号を含む予約情報が存在する場合は、ゲート開閉指示手段１３３は、駐車場内装置２００に入出庫用ゲートを開ける指示を送信する（Ｓ１３８）。そして、駐車場内装置２００のゲート開閉部２１０は、入出庫用ゲートを開ける（Ｓ２１２）。料金管理部１４０は、予約情報に関連つけて入庫時間と出庫時間とを記録し、予約情報の料金の精算方法の情報に示された方法で料金の精算を行い、精算結果を一時利用者端末（携帯）４２０に送信する（Ｓ１４１、Ｓ４２３）。また、予約受付時に、一時利用期間の料金の精算が終了しているときは、実際の駐車期間が予約情報の一時利用期間と異なる場合にのみ、料金の精算を行えばよい。本変形例はこのような処理なので、実施例１と同様の効果が得られる。
【実施例２】
【００２４】
図４に実施例２の駐車場貸出管理システムの構成例を示す。実施例２の駐車場貸出管理システム２０は、ネットワーク５００で接続された駐車場貸出管理装置１０１と駐車場内装置６００とを有し、定期利用スペースを一時利用スペースとして貸し出す。駐車場貸出管理システム２０は、この他に、駐車場の定期利用者が使用する定期利用者端末３１０、一時的に駐車場を利用する一時利用者が使用する一時利用者端末４１０、一時利用者が使用するスマートホンや携帯端末である一時利用者端末（携帯）４２０も含んでもよい。駐車場貸出管理装置１０１は、貸出登録部１１０、予約受付部１２５、一時利用管理部１５０、料金管理部１４０、記録部１９０を備える。駐車場内装置６００は、入出庫ゲートの開閉を制御するゲート開閉部２１５、駐車場での料金精算を行う料金精算部６２０、入出庫する車両の車両番号を読み取る車両番号読取部２３５などを備える。図５は、実施例２の駐車場貸出管理システムの処理フローの例を示す図である。
【００２５】
定期利用者の定期利用者端末３１０が、貸出情報を駐車場貸出管理装置１０１に送信する（Ｓ３１１）。貸出情報は、少なくとも定期利用スペースを特定する情報、貸出期間を示す情報を含むが、これらに限定する必要はない。例えば、定期利用者の情報、定期利用者が登録している車両番号、貸出情報の送信日時などを含んでもよい。駐車場貸出管理装置１０１の貸出登録部１１０は、定期利用者端末３１０からの貸出情報を受け付け、貸出情報を記録部１９０に記録する（Ｓ１１０）。これらの処理で、一時的に駐車スペースを貸し出したい定期利用者の登録が終了する。
【００２６】
一時利用者の一時利用者端末４１０または一時利用者端末（携帯）４２０が、予約情報を駐車場貸出管理装置１０１に送信する（Ｓ４１１）。予約情報を送信するときはデスクトップパソコンのような固定された端末である一時利用者端末４１０を用いてもよいし、スマートホン、タブレット端末などの携帯端末である一時利用者端末（携帯）４２０を用いてもよい。予約情報は、少なくとも一時利用期間を示す情報、一時利用者の連絡先の情報、料金の精算方法の情報を含む。実施例２の場合、予約情報に一時利用者の車両番号を含まなくてもよい点が、実施例１と異なる。予約受付部１２５は、一時利用者端末４１０，４２０からの予約情報を受信し、記録部１９０に記録された貸出情報の中に貸出期間が一時利用期間の条件を満たす貸出情報があるかを確認する。一時利用期間の条件を満たす貸出情報がある場合には、一時利用者の連絡先に受付情報を送信し、当該予約情報と当該受付情報とを一時利用期間の条件を満たす貸出情報と関連つけて記録部１９０に記録する（Ｓ１２５）。なお、貸出情報、予約情報、受付情報の関連つけは、実施例１と同じである。
【００２７】
一時利用期間の条件を満たす貸出情報がない場合には、受付できなかったことを一時利用者の連絡先に送信する。受付情報は、少なくとも一時利用スペース、一時利用期間を示す情報、識別情報を含むが、これらに限定されるものではない。なお、識別情報は、数ケタの数字でもよいし、二次元バーコードなどでもよい。また、識別情報は、予約受付部１２５がランダムに生成する情報でもよいし、一時利用者が予約情報の中に含めておいた情報でもよい。一時利用者端末（携帯）４２０は、受付情報を受信する（Ｓ４２５）。これらの処理で、一時的に駐車スペースを借りたい人の予約が終了する。
【００２８】
一時利用者が予約した駐車場に到着すると、駐車場内装置６００のゲート開閉部２１５は、入場券を発券し（Ｓ２１３）、入庫用ゲートを開ける（Ｓ２１４）。なお、入場券には、入庫時間が記録されている。このように、実施例２では、一時利用者は、通常の一時利用者と同じ方法で駐車場に入庫する。
【００２９】
一時利用者が駐車場から出庫するときの処理を説明する。一時利用者は、料金精算部６２０に入場券を読み取らせる。料金精算部６２０は、入場券を読み取り、入庫時間を確認する（Ｓ６２１）。そして、料金精算部６２０は、識別情報を取得し、当該識別情報と入庫時間とを駐車場貸出管理装置１０１に送信する（Ｓ６２２）。なお、識別情報の取得方法は、一時利用者端末（携帯）４２０から受信する方法でもよいし、一時利用者端末（携帯）４２０に表示させた二次元バーコードなどを読み込ませる方法でもよいし、一時利用者にテンキーなどを用いて入力させる方法でもよい。一時利用管理部１５０は、受付情報確認手段１５６と確認結果送信手段１５８とを有する。受付情報確認手段１５６は、駐車場内装置６００から識別情報と入庫時間を受信すると、記録部１９０に貸出情報と関連つけて記録された受付情報の中に、受信した識別情報と同一の識別情報を含む受付情報が存在するかを確認する（Ｓ１５６，Ｓ１５７）。
【００３０】
受信した識別情報と同一の識別情報を含む受付情報が存在する場合は、料金精算の処理に進む。料金管理部１４０は、当該受付情報と関連つけられた予約情報に関連つけて入庫時間と出庫時間とを記録し、当該予約情報の料金の精算方法の情報に示された方法で料金の精算を行う（Ｓ１４０）。出庫時間は、一時利用管理部１５０が駐車場内装置６００から識別情報と入庫時間を受信した時間とすればよい。なお、料金精算においては、一時利用者端末（携帯）４２０での承認処理を伴ってもよい。また、予約受付時に、一時利用期間の料金の精算が終了しているときは、実際の駐車期間が予約情報の一時利用期間と異なる場合にのみ、料金の精算を行えばよい（Ｓ４２２）。料金精算が終了すると、一時利用管理部１５０の確認結果送信手段１５８は、駐車場内装置６００に確認の結果を送信する（Ｓ１５８）。駐車場内装置６００の料金精算部６２０は、識別情報の確認結果を受信し、必要に応じて料金を精算した上で、出庫用ゲートを開けるための券を出力する（Ｓ６２３）。「必要に応じて料金を精算した上で」とは、受付情報が存在したことを示す確認結果を受信したときは何もせず、受付情報が存在しなかったことを示す確認結果を受信したときは通常の一時利用者と同様に料金を精算することを示している。「出庫用ゲートを開けるための券」とは、精算処理が終了した情報か書き込まれた入場券でもよいし、サービス券などでもよい。ゲート開閉部２１５は、出庫用ゲートを開けるための券を読み取り（Ｓ２１５）、出庫用ゲートを開ける（Ｓ２１６）。
【００３１】
駐車場貸出管理システム２０によれば、駐車場内装置６００が識別情報によって一時利用者を定期利用者として扱うので、一時利用者であっても定期利用者のように駐車場を利用でき、かつ、料金の精算は定期利用者と一時利用者との間で行うことができる。
【００３２】
［変形例］
図６に、実施例２の駐車場貸出管理システムの処理フローの変形例を示す。このフローでは、料金精算と入出庫ゲートを開く順番が入れ替わっているだけで、他は図５と同じである。ステップＳ１５６までは図５と同じなので、ステップＳ１５６が終了した後の処理を説明する。一時利用管理部１５０の確認結果送信手段１５８は、駐車場内装置６００に確認の結果を送信する（Ｓ１５８）。駐車場内装置６００の料金精算部６２０は、識別情報の確認結果を受信し、必要に応じて料金を精算した上で、出庫用ゲートを開けるための券を出力する（Ｓ６２３）。ゲート開閉部２１５は、出庫用ゲートを開けるための券を読み取り（Ｓ２１５）、出庫用ゲートを開ける（Ｓ２１６）。料金管理部１４０は、受付情報と関連つけられた予約情報に関連つけて入庫時間と出庫時間とを記録し、予約情報の料金の精算方法の情報に示された方法で料金の精算を行い、精算結果を一時利用者端末（携帯）４２０に送信する（Ｓ１４１、Ｓ４２３）。また、予約受付時に、一時利用期間の料金の精算が終了しているときは、実際の駐車期間が予約情報の一時利用期間と異なる場合にのみ、料金の精算を行えばよい。本変形例はこのような処理なので、実施例２と同様の効果が得られる。
【実施例３】
【００３３】
図７に実施例３の駐車場貸出管理システムの構成例を示す。実施例３の駐車場貸出管理システム３０は、ネットワーク５００で接続された駐車場貸出管理装置１０２と駐車場内装置７００とを有し、定期利用スペースを一時利用スペースとして貸し出す。駐車場貸出管理システム３０は、この他に、駐車場の定期利用者が使用する定期利用者端末３１０、一時的に駐車場を利用する一時利用者が使用する一時利用者端末４１０、一時利用者が使用するスマートホンや携帯端末である一時利用者端末（携帯）４２０も含んでもよい。駐車場貸出管理装置１０２は、貸出登録部１１０、予約受付部１２５、一時利用管理部１６０、料金管理部１４０、記録部１９０を備える。駐車場内装置７００は、入出庫ゲートの開閉を制御するゲート開閉部７１０、駐車場での料金精算を行う料金精算部２２０、入出庫する車両の車両番号を読み取る車両番号読取部２３５などを備える。図８と図９は、実施例３の駐車場貸出管理システムの処理フローの例を示す図である。
【００３４】
定期利用者の定期利用者端末３１０が、貸出情報を駐車場貸出管理装置１０２に送信する（Ｓ３１１）。貸出情報は、少なくとも定期利用スペースを特定する情報、貸出期間を示す情報を含むが、これらに限定する必要はない。例えば、定期利用者の情報、定期利用者が登録している車両番号、貸出情報の送信日時などを含んでもよい。駐車場貸出管理装置１０２の貸出登録部１１０は、定期利用者端末３１０からの貸出情報を受け付け、貸出情報を記録部１９０に記録する（Ｓ１１０）。これらの処理で、一時的に駐車スペースを貸し出したい定期利用者の登録が終了する。
【００３５】
一時利用者の一時利用者端末４１０または一時利用者端末（携帯）４２０が、予約情報を駐車場貸出管理装置１０２に送信する（Ｓ４１１）。予約情報を送信するときはデスクトップパソコンのような固定された端末である一時利用者端末４１０を用いてもよいし、スマートホン、タブレット端末などの携帯端末である一時利用者端末（携帯）４２０を用いてもよい。予約情報は、少なくとも一時利用期間を示す情報、一時利用者の連絡先の情報、料金の精算方法の情報を含む。実施例３の場合も、予約情報に一時利用者の車両番号を含まなくてもよい点が、実施例１と異なる。予約受付部１２５は、一時利用者端末４１０，４２０からの予約情報を受信し、記録部１９０に記録された貸出情報の中に貸出期間が一時利用期間の条件を満たす貸出情報があるかを確認する。一時利用期間の条件を満たす貸出情報がある場合には、一時利用者の連絡先に受付情報を送信し、当該予約情報と当該受付情報とを一時利用期間の条件を満たす貸出情報と関連つけて記録部１９０に記録する（Ｓ１２５）。なお、貸出情報、予約情報、受付情報の関連つけは、実施例１と同じである。
【００３６】
一時利用期間の条件を満たす貸出情報がない場合には、受付できなかったことを一時利用者の連絡先に送信する。受付情報は、少なくとも一時利用スペース、一時利用期間を示す情報、識別情報を含むが、これらに限定されるものではない。なお、識別情報は、数ケタの数字でもよいし、二次元バーコードなどでもよい。また、識別情報は、予約受付部１２５がランダムに生成する情報でもよいし、一時利用者が予約情報の中に含めておいた情報でもよい。一時利用者端末（携帯）４２０は、受付情報を受信する（Ｓ４２５）。これらの処理で、一時的に駐車スペースを借りたい人の予約が終了する。
【００３７】
図８の例では、一時利用者が予約した駐車場に到着すると、一時利用者端末（携帯）４２０が、駐車場内装置７００のゲート開閉部７１０に、識別情報を送信する（Ｓ４２４）。具体的には、一時利用者端末（携帯）４２０が無線で送信する方法でもよいし、一時利用者端末（携帯）４２０に表示させた二次元バーコードなどをゲート開閉部７１０に読み込ませる方法でもよい。ゲート開閉部７１０は、識別情報を取得し、当該識別情報を駐車場貸出管理装置１０２に送信する（Ｓ７１１）。図９の例では、一時利用者が予約した駐車場に到着すると、一時利用者端末（携帯）４２０が、駐車場貸出管理装置１０２に、直接、識別情報を送信する（Ｓ４２６）。この場合は、一時利用者端末（携帯）４２０の通信機能を用いて送信すればよい。
【００３８】
一時利用管理部１６０は、受付情報確認手段１６１とゲート開閉指示手段１６３とを有する。受付情報確認手段１６１は、駐車場内装置７００または一時利用者端末（携帯）４２０から識別情報を受信すると、記録部１９０に貸出情報と関連つけて記録された受付情報の中に、受信した識別情報と同一の識別情報を含む受付情報が存在するかを確認する（Ｓ１６１，Ｓ１６２）。受信した識別情報と同一の識別情報を含む受付情報が存在する場合は、ゲート開閉指示手段１６３は、駐車場内装置７００に入出庫ゲートを開ける指示を送信し、当該受付情報に関連つけられた予約情報に関連つけて入庫時間を記録部１９０に記録する（Ｓ１６３）。そして、駐車場内装置７００のゲート開閉部７１０は、入出庫用ゲートを開ける（Ｓ７１２）。入庫時間は、一時利用管理部１６０が駐車場内装置７００から識別情報を受信した時間とすればよい。受信した識別情報と同一の識別情報を含む受付情報が存在しない場合は、一時利用管理部１６０は、ＥＲＲＯＲ処理を行う。例えば、一時利用者端末（携帯）４２０に、ＥＲＲＯＲ情報を送る。そして、一時利用者端末（携帯）４２０は、入庫できないこと（入出庫ゲートを開けられないこと）を一時利用者に表示によって伝えればよい。これらの処理が、一時利用者が駐車場に到着したときの処理である。
【００３９】
次に、一時利用者が駐車場から出庫するときの処理を説明する。一時利用者の車両は出庫のために入出庫ゲートに近づく。そして、図８の例では、一時利用者端末（携帯）４２０が、駐車場内装置７００のゲート開閉部７１０に、識別情報を送信する（Ｓ４２５）。ゲート開閉部７１０は、識別情報を取得し、当該識別情報を駐車場貸出管理装置１０２に送信する（Ｓ７１３）。一方、図９の例では、一時利用者端末（携帯）４２０が、直接、駐車場貸出管理装置１０２に識別情報を送信する（Ｓ４２７）。
【００４０】
一時利用管理部１６０の受付情報確認手段１６１は、駐車場内装置７００または一時利用者端末（携帯）４２０から識別情報を受信すると、記録部１９０に貸出情報と関連つけて記録された受付情報の中に、受信した識別情報と同一の識別情報を含む受付情報が存在するかを確認する（Ｓ１６６，Ｓ１６７）。受信した識別情報と同一の識別情報を含む受付情報が存在する場合は、料金精算の処理に進む。料金管理部１４０は、当該受付情報と関連つけられた予約情報に関連つけて出庫時間も記録し、当該予約情報の料金の精算方法の情報に示された方法で料金の精算を行う（Ｓ１４０）。出庫時間は、一時利用管理部１６０が駐車場内装置７００から識別情報を受信した時間とすればよい。なお、料金精算においては、一時利用者端末（携帯）４２０での承認処理を伴ってもよい。また、予約受付時に、一時利用期間の料金の精算が終了しているときは、実際の駐車期間が予約情報の一時利用期間と異なる場合にのみ、料金の精算を行えばよい（Ｓ４２２）。料金精算が終了すると、一時利用管理部１６０のゲート開閉指示手段１６３は、駐車場内装置７００に入出庫ゲートを開ける指示を送信する（Ｓ１６８）。駐車場内装置７００のゲート開閉部７１０は、駐車場貸出管理装置１０２からの入出庫用ゲートを開ける指示に従って、入出庫用ゲートを開ける（Ｓ７１４）。
【００４１】
なお、出庫時に受信した識別情報と同一の識別情報を含む受付情報を含む受付情報が存在しない場合は、一時利用管理部１６０は、ＥＲＲＯＲ処理を行う。例えば、一時利用者端末（携帯）４２０に、ＥＲＲＯＲ情報を送る。そして、一時利用者端末（携帯）４２０は、出庫できないこと（入出庫ゲートを開けられないこと）を一時利用者に表示によって伝え、通常の一時利用者として精算することを求めるなどの処理を行えばよい。
【００４２】
駐車場貸出管理システム３０によれば、駐車場内装置７００が識別情報によって一時利用者を定期利用者として扱うので、一時利用者であっても定期利用者のように駐車場を利用でき、かつ、料金の精算は定期利用者と一時利用者との間で行うことができる。
【００４３】
［変形例］
図１０と図１１に、実施例３の駐車場貸出管理システムの処理フローの変形例を示す。このフローでは、料金精算と入出庫ゲートを開く順番が入れ替わっているだけであり、他は、図１０は図８と同じ、図１１は図９と同じである。ステップＳ１６７までは図８，９と同じなので、ステップＳ１６７が終了した後の処理を説明する。受信した識別情報と同一の識別情報を含む受付情報が存在する場合は、ゲート開閉指示手段１６３は、駐車場内装置７００に入出庫用ゲートを開ける指示を送信する（Ｓ１６８）。そして、駐車場内装置７００のゲート開閉部７１０は、入出庫用ゲートを開ける（Ｓ７１４）。料金管理部１４０は、受付情報に関連つけられた予約情報に関連つけて入庫時間と出庫時間とを記録し、予約情報の料金の精算方法の情報に示された方法で料金の精算を行い、精算結果を一時利用者端末（携帯）４２０に送信する（Ｓ１４１、Ｓ４２３）。また、予約受付時に、一時利用期間の料金の精算が終了しているときは、実際の駐車期間が予約情報の一時利用期間と異なる場合にのみ、料金の精算を行えばよい。本変形例はこのような処理なので、実施例３と同様の効果が得られる。
【００４４】
［プログラム、記録媒体］
上述の各種の処理は、記載に従って時系列に実行されるのみならず、処理を実行する装置の処理能力あるいは必要に応じて並列的にあるいは個別に実行されてもよい。その他、本発明の趣旨を逸脱しない範囲で適宜変更が可能であることはいうまでもない。
【００４５】
また、上述の構成をコンピュータによって実現する場合、各装置が有すべき機能の処理内容はプログラムによって記述される。そして、このプログラムをコンピュータで実行することにより、上記処理機能がコンピュータ上で実現される。
【００４６】
この処理内容を記述したプログラムは、コンピュータで読み取り可能な記録媒体に記録しておくことができる。コンピュータで読み取り可能な記録媒体としては、例えば、磁気記録装置、光ディスク、光磁気記録媒体、半導体メモリ等どのようなものでもよい。
【００４７】
また、このプログラムの流通は、例えば、そのプログラムを記録したＤＶＤ、ＣＤ−ＲＯＭ等の可搬型記録媒体を販売、譲渡、貸与等することによって行う。さらに、このプログラムをサーバコンピュータの記憶装置に格納しておき、ネットワークを介して、サーバコンピュータから他のコンピュータにそのプログラムを転送することにより、このプログラムを流通させる構成としてもよい。
【００４８】
このようなプログラムを実行するコンピュータは、例えば、まず、可搬型記録媒体に記録されたプログラムもしくはサーバコンピュータから転送されたプログラムを、一旦、自己の記憶装置に格納する。そして、処理の実行時、このコンピュータは、自己の記録媒体に格納されたプログラムを読み取り、読み取ったプログラムに従った処理を実行する。また、このプログラムの別の実行形態として、コンピュータが可搬型記録媒体から直接プログラムを読み取り、そのプログラムに従った処理を実行することとしてもよく、さらに、このコンピュータにサーバコンピュータからプログラムが転送されるたびに、逐次、受け取ったプログラムに従った処理を実行することとしてもよい。また、サーバコンピュータから、このコンピュータへのプログラムの転送は行わず、その実行指示と結果取得のみによって処理機能を実現する、いわゆるＡＳＰ（Application Service Provider）型のサービスによって、上述の処理を実行する構成としてもよい。なお、本形態におけるプログラムには、電子計算機による処理の用に供する情報であってプログラムに準ずるもの（コンピュータに対する直接の指令ではないがコンピュータの処理を規定する性質を有するデータ等）を含むものとする。
【００４９】
また、この形態では、コンピュータ上で所定のプログラムを実行させることにより、本装置を構成することとしたが、これらの処理内容の少なくとも一部をハードウェア的に実現することとしてもよい。
【符号の説明】
【００５０】
１０，２０，３０  駐車場貸出管理システム
１００，１０１，１０２  駐車場貸出管理装置
１１０  貸出登録部
１２０，１２５  予約受付部
１３０，１５０，１６０  一時利用管理部
１３１  車両番号確認手段
１３３，１６３  ゲート開閉指示手段
１４０  料金管理部
１５６，１６１  受付情報確認手段
１５８  確認結果送信手段
１９０  記録部
２００，６００，７００  駐車場内装置
２１０，２１５，７１０  ゲート開閉部
２２０，６２０  料金精算部
２３０，２３５  車両番号読取部
３１０  定期利用者端末
４１０，４２０  一時利用者端末
５００  ネットワーク
【図１】
2015060240.tif 000003
【図２】
2015060240.tif 000004
【図３】
2015060240.tif 000005
【図４】
2015060240.tif 000006
【図５】
2015060240.tif 000007
【図６】
2015060240.tif 000008
【図７】
2015060240.tif 000009
【図８】
2015060240.tif 000010
【図９】
2015060240.tif 000011
【図１０】
2015060240.tif 000012
【図１１】
2015060240.tif 000013